(57)【要約】      （修正有）【課題】眼鏡脚を眼鏡フレームに容易に結合可能な眼鏡組み合わせ構造を提供する。【解決手段】眼鏡フレーム１０と、眼鏡脚２０と、結合部材３０とを備える。眼鏡フレームの一方の側には規制溝１１と連結孔１２とが設けられており、眼鏡脚の先端は、折り曲げられ回転軸部２２として形成され、結合部材は、軸孔部３１を有し、回転軸部は、軸孔部内に結合され、回転軸部の外表面及び軸孔部の内表面には対応する平行リブ及び平行溝がそれぞれ設けられている。結合部材の一端は、連結孔に結合される。眼鏡脚は、眼鏡フレームに結合され眼鏡フレームに対して回動可能であり、眼鏡脚が眼鏡フレームに対して回動した場合、適当な位置決め作用を有する。【選択図】図１
0003194559.tif 000002
【実用新案登録請求の範囲】
【請求項１】
一方の側に規制溝と連結孔とが設けられた眼鏡フレームと、
先端が折り曲げられ回転軸部として形成される弾性線脚を含み、前記回転軸部の外径が前記弾性線脚の外径よりもやや小さく、前記回転軸部の外表面に複数の平行溝が設けられている眼鏡脚と、
軸孔部と、前記軸孔部と連通する弾性開口と、外表面両側に位置する係合溝とを有し、前記軸孔部の内表面に前記複数の平行溝に対応する複数の平行リブが設けられている結合部材と、を備え、
前記眼鏡脚の回転軸部が前記結合部材の軸孔部内に結合され、前記眼鏡脚の係合溝が前記連結孔に結合されることで、前記眼鏡脚は前記眼鏡フレームに結合可能であることを特徴とする眼鏡組み合わせ構造。
【考案の詳細な説明】
【技術分野】
【０００１】
本考案は、軽量化の眼鏡組み合わせ構造に関し、特に眼鏡脚を眼鏡フレームに容易に結合可能な眼鏡組み合わせ構造に関するものである。
【背景技術】
【０００２】
従来の眼鏡は、一般に、眼鏡フレームと２つの眼鏡脚とからなる。眼鏡フレームの両側には、枢接部がそれぞれ設けられ、各眼鏡脚の先端には、枢接リングが設けられており、枢接部は枢接リングに対応する。枢接リングと枢接部とがねじで結合されることで関節構造が形成されることにより、眼鏡脚は、眼鏡フレームに対して内方へ折り畳み収納しまたは外方へ拡開することができる。
【０００３】
しかしながら、眼鏡製造技術の向上のため、高価の眼鏡は、設計が軽薄の方向へ進んでおり、眼鏡フレーム及び眼鏡脚は、強靭且つ軽質の材質からなるのが多くあり、外形も、シート状材料でそれぞれ成形されてなるようになっており、その二者は、さらに関節構造により結合される。このことから、枢接リングと枢接部とがねじ素子で結合される関節構造によって、眼鏡の重量が増すのみならず、シート状材料に該関節構造を加工製造する場合にも製造困難性やコストが増加し、また、関節構造におけるネジ素子が緩みやすい問題も回避することができなくなる。従って、従来の眼鏡組み合わせ構造には改良の余地が存在している。
【考案の概要】
【考案が解決しようとする課題】
【０００４】
そこで、本考案は、ネジを用いることなく、眼鏡脚を眼鏡フレームに容易に結合するための眼鏡組み合わせ構造を提供することを目的とする。
【課題を解決するための手段】
【０００５】
本考案は、眼鏡フレームと、眼鏡脚と、結合部材とを含む眼鏡組み合わせ構造を提供する。前記眼鏡フレームの一方の側には規制溝と連結孔とが設けられており、前記眼鏡脚の先端は、折り曲げられ回転軸部として形成され、前記結合部材は、軸孔部を有し、前記回転軸部は、前記軸孔部内に結合され、前記回転軸部の外表面及び前記軸孔部の内表面には対応する平行リブ及び平行溝がそれぞれ設けられている。前記結合部材の一端は、前記連結孔に結合される。前記眼鏡脚は、眼鏡フレームに結合され眼鏡フレームに対して回動可能であり、前記眼鏡脚が眼鏡フレームに対して回動した場合、適当な位置決め作用を有する。
【考案の効果】
【０００６】
本考案に係る眼鏡組み合わせ構造によれば、眼鏡脚と眼鏡フレームとの組み付けは、ネジを用いることなく完成することができるため、ねじの脱落はなく、また、眼鏡の重量が大幅に軽減されるため、製品の品質がより緻密になる。
【図面の簡単な説明】
【０００７】
【図１】本考案に係る眼鏡組み合わせ構造の分解模式図である。
【図２】本考案に係る眼鏡組み合わせ構造の立体参考図である。
【図３】本考案に係る眼鏡組み合わせ構造の局所拡大模式図である。
【図４】本考案に係る眼鏡組み合わせ構造の局所断面模式図である。
【考案を実施するための形態】
【０００８】
本考案に係る眼鏡組み合わせ構造の特徴、効果、及びその他の利点がより容易に理解できるように、図面を参照ながら好ましい実施例を詳しく説明する。
【０００９】
図１〜２は、本考案に係る眼鏡組み合わせ構造の好ましい実施例を示す。該眼鏡組み合わせ構造は、眼鏡フレーム１０と、眼鏡脚２０と、結合部材３０とを含み、眼鏡脚２０が結合部材３０により眼鏡フレーム１０の一方の側に設けられることで、、眼鏡脚２０が折り畳み収納しまたは外方へ拡開する機能を有するものである。
【００１０】
眼鏡フレーム１０の両側には、規制溝１１と、該規制溝１１の下方に位置する連結孔１２とがそれぞれ設けられている。連結孔１２には結合部材３０の一端が結合される。規制溝１１は、眼鏡脚２０の拡開を制限するとともに角度を所定の範囲に折り畳み収納する。
【００１１】
眼鏡脚２０は、適当な強度及び強靭性を有する線材からなる弾性線脚２１を含み、弾性線脚２１は、先端が折り曲げられ回転軸部２２として形成され、末端には眼鏡脚パッド２３が覆設されている。回転軸部２２の外径は、弾性線脚２１の外径よりもやや小さく、回転軸部２２の外表面には複数の平行溝２２１が設けられている。弾性線脚２１における機能を有しない主体部は、製品の多様性のために、異なる造形を構成することができる。
【００１２】
図３は、結合部材３０及び回転軸部２２の局所拡大構造を示す。結合部材３０は、連結孔１２に結合可能な部材であり、その内部に軸孔部３１と、軸孔部３１と連通する弾性開口３２とを有する。結合部材３０の外表面の両側には係合溝３３がそれぞれ設けられている。軸孔部３１の内表面には複数の平行リブ３１１が設けられており、平行リブ３１１は、平行溝２２１の位置に対応する。これにより、平行リブ３１１と平行溝２２１との間が相対に回転する場合、ある程度のダンパー効果が適当に形成されるとともに、眼鏡脚２０が眼鏡フレーム１０に対して回転する場合、適当な位置決めの作用が発揮する。２つの係合溝３３の間の幅が連結孔１２の内孔幅と略同一であるため、結合部材３０の係合溝３３は、連結孔１２内に収容結合されている。
【００１３】
図４は、眼鏡脚２０の回転軸部２２と結合部材３０の軸孔部３１との結合構造を示す。図４には、径が弾性線脚２１よりもやや小さい回転軸部２２が軸方向において軸孔部３１内に位置する様子が示されている。従って、回転軸部２２は、結合部材３０の軸孔部３１から脱落しにくく、眼鏡脚２０と結合部材３０との間の軸方向安定性がより確保される。回転軸部２２と軸孔部３１との結合面に設けられた平行溝及び平行リブの位置は、当然ながら相互に交換することができる。一方、眼鏡脚２０が折り畳み収納しまたは外方へ拡開する場合にダンパーとして機能できるように、粗面またはエンボス面等、摩擦力を増加可能な表面として形成することもできる。
【００１４】
本考案に係る眼鏡組み合わせ構造によれば、弾性線脚２１を眼鏡脚２０の主体としているため、眼鏡の重量を大幅に軽減することができ、眼鏡製品がより緻密になるとともに、眼鏡脚２０と眼鏡フレーム１０との組み付けは、ねじを使わずに済むので、ねじ脱落の問題はない。
【００１５】
上記のように、これらの実施の形態は本考案の好ましい実施例のみであり、本考案の特許請求の範囲に基づいてなされる等価の変更や修飾は、本考案の技術範囲に入るものである。
【００１６】
以上のように、本考案では、一方の側に規制溝と連結孔とが設けられた眼鏡フレームと、先端が折り曲げられ回転軸部として形成される弾性線脚を含み、前記回転軸部の外径が前記弾性線脚の外径よりもやや小さく、前記回転軸部の外表面に複数の平行溝が設けられている眼鏡脚と、軸孔部と、前記軸孔部と連通する弾性開口と、外表面両側に位置する係合溝とを有し、前記軸孔部の内表面に前記複数の平行溝に対応する複数の平行リブが設けられている結合部材と、を備え、前記眼鏡脚の回転軸部が前記結合部材の軸孔部内に結合され、前記眼鏡脚の係合溝が前記連結孔に結合されることで、前記眼鏡脚は前記眼鏡フレームに結合可能であることを特徴とする眼鏡組み合わせ構造とするものである。
【産業上の利用可能性】
【００１７】
本考案に係る眼鏡組み合わせ構造によれば、眼鏡脚と眼鏡フレームとの組み付けは、ネジを用いることなく完成することができるため、ねじの脱落はなく、また、眼鏡の重量が大幅に軽減されるため、製品の品質がより緻密になる。
【符号の説明】
【００１８】
１０  眼鏡フレーム
１１  規制溝
１２  連結孔
２０  眼鏡脚
２１  弾性線脚
２２  回転軸部
２２１  平行溝
２３  眼鏡脚パッド
３０  結合部材
３１  軸孔部
３１１  平行リブ
３２  弾性開口
３３  係合溝
【図１】
0003194559.tif 000003
【図２】
0003194559.tif 000004
【図３】
0003194559.tif 000005
【図４】
0003194559.tif 000006